(57)【要約】      （修正有）【課題】現行のターボドリルのドリル装置の高速回転時における動的平衡問題を解決する。【解決手段】ヘッドハウジング２０１とウィンドホイールとの間にゴム製部材が設けられ、自然状態下ではゴム製部材がヘッドハウジング２０１とウィンドホイールとの両方に対して接触し、作動状態下では前記ゴム製部材がヘッドハウジング２０１とウィンドホイールとのいずれか一方に分離する。前記作動状態とは、ヘッド内に高圧ガスを通気させ、高圧ガスがウィンドホイールを押して動かし、ゴム製部材がヘッドハウジングとウィンドホイールとのいずれか一方に対して分離し、ウィンドホイールが高速に回転する。作動が停止する場合、高圧ガスの供給が止められ、前記ゴム製部材がヘッドハウジングとウィンドホイールとの両方に対して同時接触し、ウィンドホイールが回転を停止させる。【選択図】図１２
2018047282.tif 000002
【特許請求の範囲】
【請求項１】
ヘッドハウジングと、ウィンドホイールと、軸受けとから構成され、ウィンドホイールがウィンドホイールシャフトとウィンドホイールブレードとを含む歯科用ターボドリルヘッドであって、ウィンドホイールシャフトとウィンドホイールブレードとが一体形成された構造であって、ヘッドハウジングとウィンドホイールとの間にゴム製部材が設けられ、自然状態下では、前記ゴム製部材がヘッドハウジングとウィンドホイールとの両方に対して同時に接触し、作動状態下では、前記ゴム製部材がヘッドハウジングとウィンドホイールとのいずれか一方に対して分離しており、前記ゴム製部材が、ヘッドハウジングにおけるヘッドカバーの内側において固定されたゴム層であり、前記ゴム層とヘッドカバーとが空洞を形成する、歯科用ターボドリルヘッド。
【請求項２】
前記ヘッドカバーに通孔が設けられ、通孔が前記ゴム層とヘッドカバーとが空洞を形成して連通する、請求項１に記載の歯科用ターボドリルヘッド。
【請求項３】
前記ウィンドホイールシャフトの端部においてブレーキディスクが設けられ、自然状態下では、前記ゴム層とブレーキディスクとが接触し、作動状態下では、前記ゴム層とブレーキディスクとが分離する、請求項２に記載の歯科用ターボドリルヘッド。
【請求項４】
前記ウィンドホイールシャフトの端部にブレーキディスクが設けられ、ブレーキディスクに環状溝Ｉが設けられ、環状溝Ｉ内にゴム製リングＩが設けられ、自然状態下では、ゴム製リングＩがヘッドカバーに接触し、作動状態下では、ゴム製リングＩが遠心力により溝内に入り、ヘッドカバーと分離する、請求項１に記載の歯科用ターボドリルヘッド。
【請求項５】
前記ウィンドホイールシャフトのウィンドホイールブレード側方に環状溝ＩＩが設けられ、環状溝ＩＩ内にゴム製リングＩＩが設けられ、自然状態下では、ゴム製リングＩＩが軸受け座に接触し、作動状態下では、ゴム製リングＩＩが遠心力により溝内に入り、軸受け座と分離する、請求項１に記載の歯科用ターボドリルヘッド。
【請求項６】
前記ウィンドホイールシャフトの端部内に動的平衡孔が設けられ、動的平衡孔内に動的平衡体が設けられ、動的平衡体と動的平衡孔との間に柔軟性を有するゴム又はスポンジが設けられている、請求項１に記載の歯科用ターボドリルヘッド。
【請求項７】
前記ウィンドホイールシャフトの端部内にスプライン孔が設けられ、スプライン孔内に隙間ばめでスプラインをフィットさせ、スプラインがウィンドホイールシャフトの端部から延出して動的平衡ディスクを固定し、スプラインとスプライン孔との間に柔軟性を有するゴム又はスポンジが設けられる、請求項１に記載の歯科用ターボドリルヘッド。
【請求項８】
前記ウィンドホイールシャフトにクランプ爪ホールが設けられ、クランプ爪ホール内においてクランプ爪がクランプ爪ロッドに連結され、クランプ爪ロッドに平衡孔又はスプライン孔が設けられる、請求項６又は７に記載の歯科用ターボドリルヘッド。
【発明の詳細な説明】
【技術分野】
【０００１】
本発明は、歯科用主要部材である歯科用ドリルに関し、特に、歯科用ターボドリルヘッド内におけるドリル装置及び、そのドリル装置を取り付けたターボドリルヘッドに関する。
【背景技術】
【０００２】
通常、歯科用の空圧式切削装置のヘッドとして、その先端部にはヘッド部が備えられ、当該ヘッド部には、必要な切削ツールの部品が取り付けられており、当該切削ツールの部品は、切削ツールのロータ軸と、回転軸を支える２つの軸受けと、２つの軸受けの間に配置される羽根車とを含み、これにより、ヘッドのハンドピース部内に配置される空気供給路から供給される高圧空気が羽根車に衝突し、切削ツールを回転させる。従来の使い捨ての歯科用ドリルのウィンドホイールシャフトとブレードとは一体射出成形された部品であり、例えば、中国特許第２００５２００４５７３３．３号明細書（特許文献１）に記載された特許発明は、そのウィンドホイールシャフトとバーとが３枚バネにより作動する 。中国特許出願第２００９１０００１３９４．１号明細書（特許文献２）に記載された発明は、そのウィンドホイールシャフトのバーホールがスプライン状に形成され、プラスチックの弾性力によりバーロッドをクランプし、さらに、当該出願に係る発明は、風防止円状ピースを設け、回転の慣性力を増大させる。また、その他の使い捨ての歯科用ドリルは、バーホールとバーロッドとのしまりばめ等を選用し、これらの構造は、バーを脱着させるために専用のツールが必要であるため、非常に煩雑である。中国特許出願第２０１０２０５４２７２７．Ｘ号明細書（特許文献３）に記載された発明は、同様にプッシュボタン式歯科用ドリルではあるが、具体的には、ウィンドホイールシャフト内に楔状チャックが設けられ、楔状チャックがバーをクランプし、楔状チャックの連結ロッドはウィンドホイールシャフトから延出すると共にリテーニングプレートを固定し、連結ロッドの外周におけるウィンドホイールシャフトの端部とリテーニングプレートとの間にディスクバネが設けられ、ディスクバネがクランプ力を供給する。上述した幾種の歯科用ドリルはいずれも実用化段階に進んでおらず、その理由は、ウィンドホイールシャフトとバーとによるしまりばめを有する一回限りの歯科用ドリルを生産するメーカーがいくつか中国国内に存在するものの、中国ではモールドの精度は一般的に０．０４ｍｍ〜０．０６ｍｍであり、射出部品の精度が尚更低いことにある。１分間に３０万回転の条件下で、精度が劣ることによる不平衡は、振動を引き起こすと共に、騒音を発生するため、基準が満たされず、実用化価値が失われる。上述した２種類の圧力によるバーを脱着する歯科用ドリルは、構造がさらに複雑であり、回転時に生じた不平衡がより大きいと共に、騒音も一層大きくなる。また、現在再使用可能の金属製歯科用ドリルは、その価格が加工精度に直接依存しており、最大の価格差は百倍にも上る。
【先行技術文献】
【特許文献】
【０００３】
【特許文献１】中国特許第２００５２００４５７３３．３号明細書
【特許文献２】中国特許出願第２００９１０００１３９４．１号明細書
【特許文献３】中国特許出願第２０１０２０５４２７２７．Ｘ号明細書
【発明の概要】
【発明が解決しようとする課題】
【０００４】
本発明の目的は、現行のターボドリルのドリル装置の高速回転時における動的平衡問題を解決することにある。
【０００５】
本発明は、下記の構成により実現されている。すなわち、歯科用ターボドリル装置であって、ターボとターボシャフトとを含み、前記ドリル装置には平衡チャンバが設けられ、前記平衡チャンバ内に自動平衡部材が設けられている。
【０００６】
前記自動平衡部材が金属玉である。
【０００７】
前記自動平衡部材が砂粒である。
【０００８】
前記自動平衡部材が軟性体である。
【０００９】
前記軟性体が軟性コロイド体、又は軟性ヒドロゲル体、又は軟性の発泡プラスチックである。
【００１０】
前記軟性体は、軟性ポケット体であり、前記軟性ポケット体は、軟性ハウジング体において液体、軟性コロイド体、軟性ヒドロゲル体、金属玉及び 砂粒のうちの少なくとも１種を充填するように構成されている。
【００１１】
前記軟性ハウジング体は、軟性ラテックスハウジング体、軟性シリカゲルハウジング体、及び軟性ネット状ハウジング体のうちの１種である。
【００１２】
前記ドリル装置のターボ及びブレードは、ターボシャフトを周る空芯構造を形成し、空芯部分が平衡チャンバである。
【００１３】
前記ドリル装置のターボシャフト内にはクランプ爪が設けられ、クランプ爪の一端がクランプ爪ロッドに連結され、クランプ爪ロッドがターボシャフトホールから延出してバネリテーニングプレートに連結され、バネリテーニングプレートとターボシャフトとの一端側においてクランプ爪ロッドを周ってバネを設けてあり、前記バネリテーニングプレートは空芯構造を形成し、空芯部分は平衡チャンバである。
【００１４】
前記ドリル装置のターボシャフト内にはクランプ爪が設けられ、クランプ爪の一端がクランプ爪ロッドに連結され、クランプ爪ロッドがターボシャフトホールから延出してバネリテーニングプレートに連結される。バネリテーニングプレートとターボシャフトとの側においてクランプ爪ロッドを周ってディスクバネを設けてあり、ディスクバネとバネリテーニングプレートとの間において環状の平衡チャンバが形成され、又は、バネリテーニングプレートとターボシャフトとの一端側においてクランプ爪ロッドを周って２つの結合されたディスクバネが設けられ、２つのディスクバネの間に環状の平衡チャンバが形成される。前記自動平衡部材が環状の平衡チャンバに合致する環状である。
【００１５】
歯科用ドリルヘッドであって、ヘッドハウジングと、ウィンドホイールと、軸受けとから構成され、ウィンドホイールがウィンドホイールシャフトとウィンドホイールブレードとを含み、前記ウィンドホイールシャフトの端部内に動的平衡孔が設けられ、動的平衡孔内に動的平衡体が設けられる。
【００１６】
前記ウィンドホイールシャフトにはウィンドホイールシャフトホールが設けられ、ウィンドホイールシャフトホール内においてクランプ爪がクランプロッドに連結され、クランプ爪ロッドの端部がウィンドホイールシャフトホールから延出すると共にクランプ爪ロッドの端部内に動的平衡孔が設けられ、動的平衡孔内に動的平衡体が設けられる。
【００１７】
前記動的平衡体と前記動的平衡孔との間において、柔軟性を有するゴム又はスポンジが設けられる。
【００１８】
前記ウィンドホイールシャフトの端部内にスプライン孔が設けられ、スプライン孔内において隙間ばめでスプラインをフィットさせ、スプラインがスプライン孔から延出して動的平衡ディスクを固定する。
【００１９】
前記ウィンドホイールシャフトにはウィンドホイールシャフトホールが設けられ、ウィンドホイールシャフトホール内においてクランプ爪がクランプ爪ロッドに連結され、クランプ爪ロッドの端部がウィンドホイールシャフトホールから延出すると共にクランプ爪ロッドの端部内にスプライン孔が設けられ、スプライン孔内において隙間ばめでスプラインをフィットさせ、スプラインがスプライン孔から延出して動的平衡ディスクを固定する。
【００２０】
前記スプラインが球状スプラインであり、球状スプラインのスプラインが、球表面においてターボシャフトの軸方向に沿って円弧形状に分布する。球状スプラインに嵌め合うスプライン孔が球状チャンバスプライン孔であり、球状チャンバスプライン孔内において球状スプラインに嵌め合うスプライン溝が設けられる。
【００２１】
前記スプラインと前記スプライン孔との間において柔軟性を有するゴム又はスポンジが設けられている。
【００２２】
歯科用ターボドリルヘッドであって、ヘッドハウジングと、ウィンドホイールと、軸受けとから構成され、ウィンドホイールがウィンドホイールシャフトとウィンドホイールブレードとを含み、ウィンドホイールシャフトとウィンドホイールブレードとが一体形成された構造である。
【００２３】
ヘッドハウジングとウィンドホイールとの間にゴム製部材が設けられ、自然状態下では、前記ゴム製部材がヘッドハウジングとウィンドホイールとの両方に対して同時に接触し、作動状態下では、前記ゴム製部材がヘッドハウジングとウィンドホイールとのいずれか一方に対して分離する。
【００２４】
前記ゴム製部材が、ヘッドハウジングにおけるヘッドカバーの内側において固定されたゴム層であり、前記ゴム層とヘッドカバーとが空洞を形成する。
【００２５】
前記ヘッドカバーに通孔が設けられ、通孔が前記ゴム層とヘッドカバーとが空洞を形成して連通する。
【００２６】
前記ウィンドホイールシャフトの端部においてブレーキディスクが設けられ、自然状態下では、前記ゴム層とブレーキディスクとが接触し、作動状態下では、前記ゴム層とブレーキディスクとが分離する。
【００２７】
前記ウィンドホイールシャフトの端部にブレーキディスクが設けられ、ブレーキディスクに環状溝Ｉが設けられ、環状溝Ｉ内にゴム製リングＩが設けられ、自然状態下では、ゴム製リングＩがヘッドカバーに接触し、作動状態下では、ゴム製リングＩが遠心力により溝内に入り、ヘッドカバーと分離する。
【００２８】
前記ウィンドホイールシャフトのウィンドホイールブレード側方に環状溝ＩＩが設けられ、環状溝ＩＩ内にゴム製リングＩＩが設けられ、自然状態下では、ゴム製リングＩＩが軸受け座に接触し、作動状態下では、ゴム製リングＩＩが遠心力により溝内に入り、軸受け座と分離する。
【００２９】
前記ウィンドホイールシャフトの端部内に動的平衡孔が設けられ、動的平衡孔内に動的平衡体が設けられ、動的平衡体と動的平衡孔との間に柔軟性を有するゴム又はスポンジが設けられている。
【００３０】
前記ウィンドホイールシャフトの端部内にスプライン孔が設けられ、スプライン孔内に隙間ばめでスプラインをフィットさせ、スプラインがウィンドホイールシャフトの端部から延出して動的平衡ディスクを固定し、スプラインとスプライン孔との間に柔軟性を有するゴム又はスポンジが設けられる。
【００３１】
前記ウィンドホイールシャフトにクランプ爪ホールが設けられ、クランプ爪ホール内においてクランプ爪がクランプ爪ロッドに連結され、クランプ爪ロッドに平衡孔又はスプライン孔が設けられる。
【００３２】
上記技術的方案を用いる本発明は、下記のメリットを有する。
【００３３】
１．平衡チャンバ内に金属玉を設けてあるため、高速回転時に不平衡が起こる場合、金属玉の転がりにより不平衡が修正される。ただし、騒音が大きい。また、砂粒を用いる場合、特に金属砂粒を用いる場合、不平衡を修正するとともに、騒音を低減させる。軟性体を用いる場合、同じ質量の自動平衡部材が不平衡を修正する有効部分が減少するものの、騒音が発生せず、重量を調整すれば、自動的平衡に到達可能なことに変わりがない。
【００３４】
２．ウィンドホイールシャフト内に動的平衡体を設けることで、歯科用ドリルの外形における本来の寸法が保持され、回転部分の不平衡を自動的に調整可能である。スプライン穴を設け、スプライン孔内において隙間ばめでスプラインをフィットさせることで、スプラインがウィンドホイールシャフトの端部を延出して動的平衡ディスクを固定し、動的平衡ディスクが動的平衡を大幅に調節可能であるため、ウィンドホイールの不平衡の量が大きくても、例えば、ダイカスト成形の部品であっても自動的に調節可能であり、高精度加工のためのコストが低減される。
【００３５】
３．プレス面積が小さくなると共に、ゴム層とヘッドカバーとの間にチャンバが設けられているため、歯がプレス部分に接触しにくくなり、たまにしかプレス部分に接触することになる。チャンバが設けられ、ブレーキディスクに接触できなくなっているため、回転速度への影響が回避可能である。環状溝内にゴム製リングが設けられることにより、逆吸引を防止すると共に自動的に平衡を調節することは、一石二鳥であり、コストが低減される。ウィンドホイールシャフト内に動的平衡体が設けられ、ドリルの本来の寸法が保持され、スプライン穴を設け、スプライン穴内において隙間ばめでスプラインをフィットさせ、スプラインがウィンドホイールシャフトの端部を延出して動的平衡ディスクを固定する。このような構造により、動的平衡の調節可能な量が大きくなるため、仮にウィンドホイールの不平衡的な量が大きいとしても自動的に調節可能となり、高精度加工のためのコストが低減される。
【図面の簡単な説明】
【００３６】
【図１】本発明において、平衡チャンバをターボブレード周囲における空芯部分に設けてある構造を示す図である。
【図２】本発明において、平衡チャンバをバネリテーニングプレートの空芯部分に設けてある模式図である。
【図３】本発明において、平衡チャンバをバネリテーニングプレートの空芯部分に設けてある他の模式図である。
【図４】本発明において、平衡チャンバをディスクバネとバネリテーニングプレートとの間に設けてある構造を示す模式図である。
【図５】本発明において、平衡チャンバをディスクバネとバネリテーニングプレートとの間に設けてある構造を示す他の模式図である。
【図６】本発明において、平衡チャンバを２つの結合されたディスクバネの間に設けてある模式図である。
【図７】本発明において、自動平衡部材が軟性体である構造模式図である。
【図８】本発明において、自動平衡部材が軟性体である他の構造模式図である。
【図９】本発明において、動的平衡体を設けてある構造模式図である。
【図１０】本発明において、スプライン連結構造を設けてある模式図である。
【図１１】本発明において、球状スプライン連結構造を設けてある模式図である。
【図１２】ゴム製ポケットをプッシュボタン式カバーの内側に固定した自然状態における構造模式図である。
【図１３】ゴム製ポケットをプッシュボタン式カバーの内側に固定した作動状態における構造模式図である。
【図１４】ブレーキディスクに環状溝を設けてある作動状態の構造模式図である。
【図１５】ブレーキディスクに環状溝を設けてある自然状態の構造模式図である。
【図１６】ウィンドホイールシャフト内に動的平衡体を設けてある構造模式図である。
【図１７】ウィンドホイールシャフトと動的平衡ディスクとがスプライン嵌合した構造模式図である。
【図１８】ウィンドホイールシャフトと動的平衡ディスクとに脱落防止のスプライン嵌合構造を設けてある模式図である。
【発明を実施するための形態】
【００３７】
歯科用ターボドリル装置は、ターボ１とターボシャフト２とを含み、前記ドリル装置において平衡チャンバ３が設けられ、平衡チャンバ３内に自動平衡部材が設けられる。ここで、平衡チャンバ３は以下に示すような構成でありうる。
【００３８】
一つ目として、本発明に係るドリル装置のターボ１とターボブレード５とは、ターボシャフト２を周って形成される空芯構造であり、空芯部分が平衡チャンバ３を形成し、平衡チャンバ３内に自動平衡部材が設けられ、図１に示す。
【００３９】
二つ目として、ドリル装置のターボシャフト２内にクランプ爪６が設けられ、クランプ爪６の一端がクランプ爪ロッド７に連結され、クランプ爪ロッド７がターボシャフトホールから延出してバネリテーニングプレート８に連結され、バネリテーニングプレート８とターボシャフト２との一端側において、クランプ爪ロッド７を周ってバネが設けられ、前記バネリテーニングプレート８が空芯構造を形成し、空芯部分が平衡チャンバ３となり、図２、３に示す。
【００４０】
三つ目として、ドリル装置のターボシャフト内にクランプ爪６が設けられ、クランプ爪６の一端がクランプ爪ロッド７に連結され、クランプ爪ロッド７がターボシャフトホールから延出してバネリテーニングプレート８に連結し、バネリテーニングプレート８とターボシャフト２との一端側において、クランプ爪ロッド７を周ってディスクバネ９が設けられ、ディスクバネ９とバネリテーニングプレート８との間において環状の平衡チャンバ３が形成され、図４，５に示す。若しくは、バネリテーニングプレート８と、ターボシャフト２との側において、クランプ爪ロッド７を周って２つの結合されたディスクバネ９が設けられ、２つのディスクバネ９の間に、環状の平衡チャンバ３が設けられ、上述した自動平衡部材が環状の平衡チャンバにフィットするために環状となり、図６に示す。
【００４１】
本発明において、平衡チャンバ３内における自動平衡部材が金属玉であってよく、又は、砂粒又は金属砂粒であってもよい。
【００４２】
図７、図８に示すように、平衡チャンバ３内における自動平衡部材には、軟性体をさらに設けてもよく、当該軟性体４が僅かな力を受けるだけで形状変化する軟性体であり、軟性体の形状を変更させることにより、軟性体の重心を変更し、最終的には、高速回転時にドリル装置の自動平衡を保持することができる。上述した軟性体は、平衡チャンバ３内に固定されることができ、図７、図８に示す環状チャンバにおいて、バネリテーニングプレート８が上へ凹むことにより環状チャンバを増大させ、例えば軟性体の底面を固定して軟性体の搖動により軟性体の重心を変えることで、高速回転時にドリル装置の自動平衡が保持される。軟性体の底面が固定されているため、ドリル装置がドリルのヘッドハウジング内に取付けて使用する場合、仮に、軟性体の底面が１８０度回転して方向が上に向くとしても、軟性体が脱落することなく、ドリル装置の自動平衡がほとんど影響されない。当該軟性体４の形状は、餅状又は円形環状であってもよく、その材料組成は、人工乳房のポケット体及びその充填材料を含むが、これらに限定されない。軟性体の重心は、ターボシャフトと重なる。
【００４３】
具体的には、上述した軟性体４は、軟性コロイド体又は軟性ヒドロゲル体又は軟性発泡プラスチックであってもよい。
【００４４】
上述した軟性体４は、軟性ポケット体であってもよく、当該軟性ポケット体の構造は、軟性ハウジング体内に液体、軟性コロイド体、軟性ヒドロゲル体、金属玉及び砂粒のうちの少なくとも１種であり、ここで、軟性ポケット体に金属砂粒を設けることは、より自動的に平衡を保つことができるため、最良な実施形態となる。また、前記軟性ハウジング体が軟性ラテックスハウジング体、軟性シリカゲルハウジング体及び軟性ネット状ハウジング体のうちの少なくとも１種であり、前記軟性ネット状ハウジング体は布類構造体である。
【００４５】
前記ドリル装置が歯科用ターボドリルハンドピースのヘッドハウジング内に取付けることで自動平衡式歯科用ターボドリルハンドピースが構成される。
【００４６】
図９に示すように、歯科用ドリルヘッドは、ヘッドハウジング１０１と、ウィンドホイールと、軸受け１０２とから構成され、ウィンドホイールは、ウィンドホイールシャフト１０３と、ウィンドホイールブレード１０４とを含み、前記ウィンドホイールシャフト１０３にウィンドホイールシャフトホールが設けられ、ウィンドホイールシャフトホール内において、クランプ爪ロッド１１０に連結されるクランプ爪１０９が設けられ、クランプ爪ロッド１１０の端部がウィンドホイールシャフトホールを延出すると共にクランプ爪ロッド１１０の端部内に平衡孔１１２が設けられ、動的平衡孔１１２内に動的平衡体１１３が封止され、動的平衡体１１３と動的平衡孔１１２との間に、隙間ばめでフィットし、動的平衡体１２１が動的平衡孔１１２内において径方向移動することでウィンドホイールの動的平衡を自動的に調節する。動的平衡体１２１の形状は、例えば、円柱状や角柱状の柱状であってもよく、球状又は不規則顆粒状であってもよい。
【００４７】
動的平衡体１１３と動的平衡孔１１２との間に、柔軟性を有するゴム又はスポンジ１２０が設けられ、柔軟性を有するゴムは例えばシリカゲル、ポリウレタン等であり、スポンジはその発泡材である。これらにより、動的平衡体１１３と動的平衡孔１１２との間において軟性的に嵌合可能である。
【００４８】
前記実施例は、プッシュボタン式歯科用ドリルの構造を示したが、バーを挿入し若しくは抜け、又はキーによるバーを脱着する歯科用ドリルについて、ウィンドホイールシャフトの端部において動的平衡孔１１２が設けられ、動的平衡孔１１２内に動的平衡体１１３が封止されながら、動的平衡体１１３の軸方向において通孔が設けられ、当該通孔がウィンドホイールシャフト内におけるバーホールやキーホールに連通する。
【００４９】
図１０に示すように、クランプ爪ロッド１１０の端部内において、スプライン孔１２１が設けられ、スプライン孔１２１内においてスプライン１２２を隙間ばめでフィットさせ、スプライン１２２がスプライン孔１２１から延出して動的平衡ディスク１２３を固定し、スプライン１２２とスプライン孔１２１との間において、柔軟性を有するゴム又はスポンジ１２０が設けられる。スプライン１２４が、スプライン孔１２３内において径方向に移動して、動的平衡ディスクを径方向に移動させることで、ウィンドホイールの動的平衡を自動的に調節する。また、バーを挿入し若しくは抜いて、又はキーによるバーを脱着する歯科用ドリルについて、ウィンドホイールシャフトの端部にスプライン孔１２１が設けられ、スプライン孔１２１内においてスプライン１２２を隙間ばめでフィットさせ、スプライン１２２がウィンドホイールシャフトの端部から延出して動的平衡ディスク１２３を固定する。ここで、スプライン１２２と動的平衡ディスク１２３とにおいて、軸方向に通孔が設けられ、当該通孔がウィンドホイールシャフト内におけるバーホール又はキーホールに連通する。これによって、動的平衡を効果的に調整可能であり、また、金属ダイカストのドリル装置も調整可能である。
【００５０】
図１１に示すように、前記スプラインは、球状スプライン１２２２であり、球状スプライン１２２２の凸部が球表面においてターボ軸の軸方向に沿って円弧形で分布する。球状スプラインと嵌め合うスプライン孔が球状チャンバスプライン孔１２１１であり、球状チャンバスプライン孔１２１１内において球状スプラインに嵌め合うキー溝が形成され、球状スプライン１２２２の上部が球状チャンバスプライン孔１２１１を延出して動的平衡ディスク１２３を固定する。このような構造であれば、スプラインがスプライン孔から脱落することを回避可能である。本実施例は、中国実用新案第２００７２００２６７８８．９号における、その名称が歯車式自在継ぎ手である考案に相似するものであり、当該考案は、１つのボールを用いて本実施例を実現可能である。
【００５１】
クランプ爪ロッドと動的平衡ディスクの連結方法は上記の方法に限定されず、クランプ爪ロッドと動的平衡ディスクとを、遊びを以てヒンジ連結すればよい。
【００５２】
歯科用ドリルヘッドは、ヘッドハウジング２０１と、ウィンドホイールと軸受２０２とから構成され、ウィンドホイールは、ウィンドホイールシャフト２０３とウィンドホイールブレード２０４とを含み、上記ウィンドホイールシャフト２０３とウィンドホイールブレード２０４とは一体的に形成された構造である。
【００５３】
図１２、図１３に示すように、ヘッドハウジング２０１とウィンドホイールとの間にゴム製部材が設けられ、自然状態下ではゴム製部材がヘッドハウジング２０１とウィンドホイールとの両方に対して接触し、作動状態下では前記ゴム製部材がヘッドハウジング２０１とウィンドホイールとのいずれか一方に分離する。前記作動状態とは、ヘッド内に高圧ガスを通気させ、高圧ガスがウィンドホイールを押して動かし、ゴム製部材がヘッドハウジングとウィンドホイールとのいずれか一方に対して分離し、ウィンドホイールが高速に回転する。作動が停止する場合、高圧ガスの供給が止められ、前記ゴム製部材がヘッドハウジングとウィンドホイールとの両方に対して同時接触し、ウィンドホイールが回転を停止させることで、汚染物の逆吸引を有効的に防止可能である。
【００５４】
上述したゴム製部材は、ヘッドハウジング２０１のヘッドカバー２０５の内側において、ゴム層２０６が固定され、ゴム層２０６とヘッドカバー２０５とが空洞を形成する。自然状態下では、ゴム層がウィンドホイールの端部に接触し、作動状態下では、ゴム層２０６がヘッドハウジング内の気圧を受けることにより、ウィンドホイールシャフトの端部に分離する。作動が停止する場合、高圧ガスの供給が停止され、前記ゴム層とウィンドホイールシャフトの端部とが再び接触するように戻り、ウィンドホイールが回転を停止させることで、汚染物の逆吸引を有効的に防止可能である。
【００５５】
ヘッドカバー２０５において通孔２０７が設けられ、通孔２０７がゴム層２０６とヘッドカバー２０５とが空洞を形成して連通する。この場合、ゴム層２０６とヘッドカバー２０５とが空洞を形成し、大気に連通することで、作動状態下ではゴム層がウィンドホイールシャフトの端部に分離することに有利である。
【００５６】
前記ウィンドホイールシャフト２０３の端部にブレーキディスク２０８が設けられ、自然状態下ではゴム層２０６がブレーキディスク２０８に接触し、作動状態下ではゴム層２０６がブレーキディスク２０８に分離する。ブレーキディスク２０８とゴム層２０６との接触面積が大きいことは、ウィンドホイールの回転を停止させるために有利である。バーを挿入し若しくは抜け、又はキーによるバーを脱着するヘッドについて、前記ブレーキディスク２０８は、ウィンドホイールシャフトの端部に直接設置されてもよく、ブレーキディスク２０８の中心において、バー若しくはキーを挿入し、又は抜くための通孔が設けられるが、図示されていない。図１２、図１３は、プッシュボタン式でバーを脱着するヘッドを示し、ウィンドホイールシャフト２０３にクランプ爪ホールが設けられ、クランプ爪ホール内におけるクランプ爪２０９がクランプ爪ロッド２１０に連結され、クランプ爪ロッド２１０がウィンドホイールシャフトの端部を延出すると共に、クランプ爪ロッド２１０にはブレーキディスク２０８が設けられている。この場合、対応するヘッドカバー２０５がプッシュボタン式ヘッドカバーであり、プッシュボタン式カバーのプッシュ部分はゴム層２０６に対応し、前記ゴム層２０６はゴム製ポケット２１１であってもよく、ゴム製ポケット２１１の、ヘッドカバーに対応する部分がヘッドカバーに固定されているため、プッシュに影響しない。その他の部分がゴム層であり、むろん、ゴム製ポケット２１１の周辺がヘッドカバーに固定されてもよく、ゴム製ポケット２１１は、２つの面を有し、片面がヘッドカバーのプッシュ部分であり、もう片面がゴム層である。
【００５７】
図１４、図１５に示すように、ウィンドホイールシャフトの端部においてブレーキディスク２０８が設けられ、ブレーキディスク２０８に環状溝Ｉ２１４が設けられ、環状溝Ｉ２１４内においてゴム製リングＩ２１５が設けられる。自然状態下では、ゴム製リングＩ２１５がヘッドカバー２０５に接触し、作動状態では、ゴム製リングＩ２１５が遠心力を受けて溝内に入り、ヘッドカバー２０５から分離する。このように、ゴム製リングＩ２１５は、制動機能のほかに、ウィンドホイールの動的平衡を自動的に調節する機能を有する。ゴム製リングＩ２１５には、ゴム製膜２１９が設けられてもよく、これにより、摩擦面積が増大し、よりよく制動可能である。
【００５８】
ウィンドホイールシャフト２０３のウィンドホイールブレード２０４の側方において、環状溝ＩＩ２１６が設けられ、環状溝ＩＩ２１６内にゴム製リングＩＩ２１７が設けられる。自然状態下では、図１５に示すように、ゴム製リングＩＩ２１７がヘッドハウジング２０１の軸受座２１８に接触しており、作動状態下では、図１４に示すように、ゴム製リングＩＩ２１７が遠心力を受け、溝内に入ると共に軸受け座２１８から分離する。ここで、ゴム製リングＩＩ２１７は、制動機能のほかに、ウィンドホイールの動的平衡を自動的に調節する機能を有する。図１４、図１５には、ウィンドホイールシャフトの端部とウィンドホイールブレードとの側方のいずれにおいても環状溝が設けられているが、実際に、１つの環状溝のみが設けられてよく、むろん、ウィンドホイールブレードの両側に設けられてもよい。
【００５９】
図１６に示すように、ウィンドホイールシャフトの端部内において動的平衡孔２１２が設けられ、動的平衡孔２１２内に動的平衡体２１３が設けられ、動的平衡体２１３と動的平衡孔２１２との間に、柔軟性を有するゴム又はスポンジ２２０が設けられている。柔軟性を有するゴムは例えばシリカゲル、ポリウレタン等である。動的平衡体２１３が、動的平衡孔２２０内において径方向に移動することで、ウィンドホイールの動的平衡を調節する。動的平衡体２１３の形状は、例えば円柱状や角柱状の柱状であってもよく、球状又は不規則顆粒状であってもよい。
【００６０】
図１７に示すように、ウィンドホイールシャフトの端部内にスプライン孔２２１が設けられ、スプライン孔２２１内においてスプライン２２２を隙間ばめでフィットさせ、スプライン２２２とスプライン２２１との嵌め合い構造は、球面インボリュート歯形でのヒンジ連結構造であってもよく、前記球面インボリュート歯形でのヒンジ連結構造は、中国実用新案第２００７２００２６７８８．９号明細書に記載の球面インボリュート歯形でのヒンジ連結構造である。スプライン２２２は、ウィンドホイールシャフトの端部から延出して平衡ディスク２２３を固定させ、スプライン２２２とスプライン孔２２１との間に、柔軟性を有するゴム又はスポンジ２２０とが設けられる。スプライン２２２がスプライン孔２２３内において径方向に移動することで、動的平衡ディスク２２３を径方向移動させ、ウィンドホイールの動的平衡を自動的に調節する。図１８におけるスプライン孔２２１とスプライン２２２とは、スプライン２２２が孔内から脱落しないように構成されている。
【００６１】
図１６、図１７、図１８において、ウィンドホイールシャフト２０３にクランプ爪ホールが設けられ、クランプ爪ホール内にクランプ爪２０９がクランプ爪ロッド２１０に連結され、クランプ爪ロッド２１０に動的平衡孔２１２又はスプライン孔２２１が設けられ、このような状態は、プッシュボタン式歯科用ドリルハンドピースに好適である。
【００６２】
本発明は、上述した実施例に限定されず、本発明と実質的に同一な技術的方案、及び本発明に提示された技術的方案はいずれも本発明の範疇に属するものである。
【図１】
2018047282.tif 000003
【図２】
2018047282.tif 000004
【図３】
2018047282.tif 000005
【図４】
2018047282.tif 000006
【図５】
2018047282.tif 000007
【図６】
2018047282.tif 000008
【図７】
2018047282.tif 000009
【図８】
2018047282.tif 000010
【図９】
2018047282.tif 000011
【図１０】
2018047282.tif 000012
【図１１】
2018047282.tif 000013
【図１２】
2018047282.tif 000014
【図１３】
2018047282.tif 000015
【図１４】
2018047282.tif 000016
【図１５】
2018047282.tif 000017
【図１６】
2018047282.tif 000018
【図１７】
2018047282.tif 000019
【図１８】
2018047282.tif 000020